(57)【特許請求の範囲】
【請求項１】
周縁に工具差込口を有して受枠の上面開口部に嵌合されるマンホール蓋において、前記工具差込口に近接してマンホール蓋の裏面に揺動可能に吊支される振子を含み、その振子に受枠の内周部の部位と対応する施錠用の鉤部及び揺動時の支点を成す枢軸を形成した施錠装置であって、
前記振子とマンホール蓋との間に工具差込口を塞ぐ弁板が揺動可能にして装置され、その弁板は前記振子とは別体にして一端がマンホール蓋の裏面に形成される突起に係合して該突起を中心に揺動すると共に、前記弁板の他端には工具差込口に対応する栓部が形成され、前記弁板と振子との間には、前記栓部を工具差込口内に向けて押し込みつつ前記鉤部を受枠の内周部の部位との対応位置に向けて付勢する湾曲したバネが介在され、そのバネは工具差込口より栓部の上面を押圧したときに変形しつつ振子を鉤部の逆側に向けて揺動させ得るよう両端が振子と弁板との部位に係止されて成ることを特徴とするマンホール蓋の施錠装置。
【発明の詳細な説明】
【０００１】
【発明の属する技術分野】
本発明は、ガス管や電気通信ケーブルを通した共同溝、又は下水道その他の地下管路に通じるマンホールの蓋に係わり、特にそのマンホール蓋が突発的に開いてしまうことを防止する施錠装置に関する。
【０００２】
【従来の技術】
共同溝や下水道その他の地下管路に通じるマンホールは上面開口部が蓋にて閉鎖されるが、そのマンホール蓋は地下埋設物の破裂や水位の上昇などに起因して突発的に開放せぬよう裏面に施錠装置を備えることが通例である。
【０００３】
その施錠装置は実公昭６０−７４１８号、実開昭６２−１５９５６０号、実公平７−５６３５７号、実公平８−６１１５号などに開示されるように、マンホール蓋の裏面に揺動可能にして取り付けられる錠、施錠鉤などと呼ばれる振子をベースに構成され、その振子に形成される鉤部が振子の自重によってマンホールの上部構造を成す円筒状の受枠の内周部の部位（錠受け）と係合するようにしてある。そして、それら施錠装置によれば、マンホール蓋の周縁に形成される工具差込口にバールなどを差し込むことにより、振子を揺動せしめて施錠を解除することができる。
【０００４】
【発明が解決しようとする課題】
然し乍ら、従来の施錠装置の多くは振子の自重のみによって鉤部を受枠の部位に対応させるようにしているので、マンホール内の圧力上昇時に、その圧力により振子が揺動して施錠が自然に解除させる虞れがあった。
【０００５】
又、施錠装置のベースを成す振子として、実公平８−６１１５号のように、閉蓋時に工具差込口を塞いでマンホール内への水や土砂の流入を防ぐ機能と、開蓋時に振子を揺動させる操作部としての機能とを兼ね備えた栓部（開閉弁）を一体に形成したものがあるが、この種の振子によれば栓部が振子の支点に近接して形成されることから、栓部が振子の支点を回転中心として小さな円軌道を描いて運動する。このため、栓部を工具差込口より小さくしたり受枠の内周面を切り欠くなどして栓部の動作域を確保しなければならないし、これに起因して工具差込口の閉鎖が不完全になるのでマンホール内へ水や土砂が流入し易いという欠点があった。なお、以上のような欠点を解消するために振子の支点をマンホール蓋の中心側に寄せると、鉤部や栓部の突出量を大きくしなければならないし、これに起因してそれら部位が振子を逆向きに揺動させようとする大きな回転モーメントを発生するので栓部による工具差込口の閉鎖力が弱くなってしまう。
【０００６】
この点、実公平７−５６３５７号は振子（施錠鈎）にスポンジゴムで成る弾性体を介して栓部（閉塞板）を一体に取り付け、その栓部が弾性体を縮小させつつ降下するようにしているので受枠に栓部の動作領域を確保する必要がなく、工具差込口の密閉を可能にするが、この種の振子はその部位に弾性体や栓部を取り付けるための様々な加工を必要とし、且つ部品点数も多く複雑な構造にしてコスト高になる。
【０００７】
本発明は以上のような事情に鑑みて成されたものであり、その目的とする処は極簡単な構造にして工具差込口を密閉し得る簡便なマンホール蓋の施錠装置を提供することにある。
【０００８】
【課題を解決するための手段】
本発明は上記目的を達成するため、周縁に工具差込口を有して受枠の上面開口部に嵌合されるマンホール蓋において、前記工具差込口に近接してマンホール蓋の裏面に揺動可能に吊支される振子を含み、その振子に受枠の内周部の部位と対応する施錠用の鉤部及び揺動時の支点を成す枢軸を形成した施錠装置であって、前記振子とマンホール蓋との間に工具差込口を塞ぐ弁板が揺動可能にして装置され、その弁板は前記振子とは別体にして一端がマンホール蓋の裏面に形成される突起に係合して該突起を中心に揺動すると共に、前記弁板の他端には工具差込口に対応する栓部が形成され、前記弁板と振子との間には、前記栓部を工具差込口内に向けて押し込みつつ前記鉤部を受枠の内周部の部位との対応位置に向けて付勢する湾曲したバネが介在され、そのバネは工具差込口より栓部の上面を押圧したときに変形しつつ振子を鉤部の逆側に向けて揺動させ得るよう両端が振子と弁板との部位に係止されて成ることを特徴とするマンホール蓋の施錠装置を提供するものである。
【０００９】
【発明の実施の形態】
以下、本発明の適用例を図面に基づいて詳細に説明する。先ず、図１はマンホールに蓋をした状態を部分的に破断して示す。同図において、１はマンホールの上部構造を成す円筒状の受枠であり、この受枠１は下面が図示せぬ立坑の開口縁に接続して上面が路面に合うよう埋設させる。その上面開口部２は下方に向かって狭まるテーパ孔とされ、内周部には下方に向けて突出する錠受け３が一体に形成される。４はその上面開口部に嵌合する円形状のマンホール蓋であり、その周縁には部分的に切り欠かれた半円状の工具差込口５が形成され、その裏面には工具差込口５に近接して切欠溝６が形成される。
【００１０】
なお、蓋４は周縁の一部がその裏面に装置される図示せぬヒンジ金具によって受枠１に連係され、閉蓋時にはヒンジ金具と対向する工具差込口５が錠受け３の上方に位置するようにしてある。そして、本願に係る施錠装置はその工具差込口５に近接して蓋４の裏面に装備される。同装置は、蓋４の裏面に揺動可能にして吊支される振子７、この振子７と蓋４との間で揺動可能に設けられる弁板８、及びその弁板８と振子７との間に介在されるバネ９とで構成される。そして、本願に係る施錠装置によれば、閉蓋時に工具差込口５が弁板８により密閉され、開蓋時には図２に示すように工具差込口５に差し込まれるバールなどの工具Ｔにより、弁板８が押し下げられつつ振子７が揺動して鉤部１０が錠受け３から離隔するよう構成される。
【００１１】
図３、図４から明らかなように、振子７はその両側から上方に向けて延びる一対の腕部１１をもち、その各腕部１１の上端から水平方向に向けて揺動時の支点を成す枢軸１２が形成される。又、振子７の上部には各腕部１１の内側に沿ってその先端より後部上方に向けて蓋４の裏面に接触する係止爪１３が形成されると共に、下部背面には受枠１の錠受け３に対応する鉤部１０が形成される。
【００１２】
そして、この振子７は図５に示すように、工具差込口５を挟んで蓋４の裏面に形成されるブラケット１４の円形溝１４Ａにより枢軸１２を支持され、その枢軸１２を支点として前後に揺動可能とされる。
【００１３】
一方、弁板８は、図６で明らかなように一定の長さをもつ長方形の部材であり、その一端側はルーズホール１５をもつ折れ曲がった係止部１６とされ、他端上部には工具差込口５に嵌合する半円錐状をした栓部１７が突設される。
【００１４】
ここで、それら振子７や弁板８は、図１に示すようにＵ字状に湾曲したバネ９を介して各々蓋４の裏面に取り外し可能に組付けられる。このうち、振子７は図５に示したように上部に形成される枢軸１２がブラケットの円形溝１４Ａと嵌まり合って支持され、これにより図１に示す矢印の方向に揺動可能とされる。
【００１５】
なお、振子７はその自重により平時は図１のように蓋４の裏面からその直下に垂れ下がって鉤部１０が受枠１の錠受け３に臨められる。一方、弁板８は振子７の腕部１１の間を通してその一端部が蓋４の裏面に形成される突起１８に係合される。つまり、弁板８はルーズホール１５に突起１８を貫通せしめることにより位置決めされ、このとき他端に形成される栓部１７が工具差込口５の下方よりその内部に導入して工具差込口５を密閉するようになっている。
【００１６】
なお、図５で明らかなように、弁板８はその幅が振子７の係止爪１３，１３の間に形成される凹状溝２０の幅より狭くされているために振子７と干渉し合うことはなく、その弁板８と振子７はその相互間に介在されるバネ９を通じて連動されることになる。又、弁板８はその下面がバネ９で支持されることにより脱落を防止され、工具差込口５より栓部１７の上面が押圧されたときにはバネ９を変形させつつ突起１８を中心として揺動することになる。
【００１７】
ここで、バネ９はＵ字状に湾曲した板バネで成り、これは弁板８の下面と凹状溝２０の底部２０Ａとの間に形成される空域に圧入されて、その両端がそれぞれ弁板８と振子７との部位に係止される。特に、バネ９は凹状溝２０の底部２０Ａ前方からその後部上方に向けて延びる下顎片９Ａと、弁板８の下面に沿って延びる上顎片９Ｂとを有して振子７の前面側が開放される。又、振子７の凹状溝２０の底部２０Ａにはバネ９の下部側の一端を係止するための溝２１が形成され、弁板８の下面にはバネ９の上部側の一端を係止するための溝２２が形成される。特に、それら各溝２１，２２は振子７の支点より前方（蓋４の中心側）に位置するよう形成されると共に、バネ９はその両端が互いに広がる方向に弾力を有して各溝２１，２２に圧着される。
【００１８】
而して、このバネ９によれば、その下顎片９Ａにより振子７を鉤部１０側に付勢しつつ、上顎片９Ｂにより弁板８を蓋４側に付勢して栓部１７を工具差込口５に押し込むよう作用する。従って、鉤部１０は閉蓋時にあって振子７の自重とバネ９の弾力とにより、ぶらつく事なく錠受け３と対応した位置に保たれ、以てマンホール内の圧力上昇に起因する蓋４の突発的な開放を阻止することができる。又、閉蓋時には栓部１７が下部側からバネ９にて押し込まれて工具差込口５を密閉するため、工具差込口５より雨水や土砂がマンホール内に流入するのを防止できる。
【００１９】
ここで、蓋４を開けるには、バールその他の工具Ｔを用いて蓋４の周縁を引き上げるだけで足りる。つまり、図２に示すように、工具差込口５よりバールなどの工具Ｔを差し込み、その先端を切欠溝６に宛てがいつつ蓋４を引き上げるのである。このとき、栓部１７は工具Ｔにより押し下げられて工具差込口５より離脱することになる。すなわち、栓部１７の上面が工具Ｔによって押圧されるために、弁板８がバネ９の弾力に抗して一端側を支点に揺動するのである。この結果、振子７はバネ９を通じて鉤部１０の逆側に揺動されることになる。つまり、弁板８の揺動によりバネ９がその上顎片９Ｂを押圧されることにより変形し、その下部側の一端で振子７の部位を図示矢印方向に押し上げるよう作用する。これにより、鉤部１０が錠受け３より離隔して蓋４の施錠が解除されるために蓋４の開放が可能となる。
【００２０】
一方、マンホール内の点検終了時などに受枠１の上面開口部３に再度蓋４を載せ、その後工具差込口５より工具Ｔが抜き取られると、栓部１７に対する押圧力が無くなるためにバネ９が復元しつつ弁板８を蓋４の裏面に押し付ける。このため、栓部１７が工具差込口５に嵌合して該工具差込口を密閉する。又、このとき振子７はその自重とバネ９の弾力とにより鉤部１０側に揺動して該鉤部が錠受け３と対応する位置まで復帰されることになる。なお、図７で明らかなように、振子７は係止爪１３の先端が蓋４の裏面に接触することにより鉤部１０側への揺動が規制されるようになっており、このためバネ９は復元時も所定の弾力有して振子７と弁板８との間から外れることはない。
【００２１】
以上、本発明の好適な一例を図面に基づいて説明したが、本発明に係る施錠装置は上記例に限らず、例えばバネ９として板バネのほかトーションバネを用いることもできる。
【００２２】
【発明の効果】
以上の説明で明らかなように、本発明によれば振子と弁板との間に介在させたバネにより振子の鉤部が受枠の内周部の部位と対応する位置に向けて付勢されるようにしたため、マンホール内の圧力上昇時に振子がぶらついて鉤部が受枠の内周部の部位との対応位置から外れてしまうことがなく、施錠装置として有効に機能する。
【００２３】
更に、バネによって弁板を蓋側に付勢してその栓部を工具差込口内に押し込むようにしていることから、工具差込口を確り塞いでマンホール内への浸水を防止することができる。
【００２４】
又、本発明に係る施錠装置は、以上のように部品点数が少なく簡易構造であり、このため低廉なコストにでき、しかも弁板を振子と別体としたことにより弁板が振子の支点と関係なく揺動するよう設定できる。従って、工具差込口付近における栓部の軌道をほぼ直線状にすることができ、ひいては栓部により工具差込口を余す事なく密閉してシール性を大幅に向上できる。
【図面の簡単な説明】
【図１】  本発明に係る施錠装置を備えたマンホール蓋で受枠の上面開口部を閉鎖した状態を示す部分断面図
【図２】  同マンホール蓋を開ける状態を示した部分断面図
【図３】  振子の側面図
【図４】  同振子の斜視図
【図５】  同振り子を蓋の裏面に吊支した状態を示す部分断面図
【図６】  弁板の斜視図
【図７】  振子を蓋の裏面に吊支した状態を示す側面概略図
【符号の説明】
１  受枠
２  受枠の上面開口部
３  錠受け
４  マンホール蓋
５  工具差込口
７  振子
８  弁板
９  バネ
１０  鉤部
１２  枢軸
１３  係止爪
１４  ブラケット
１５  ルーズホール
１７  栓部
１８  突起
２０  凹状溝
２１，２２  溝
【図１】
0003653420.tif 000002
【図２】
0003653420.tif 000003
【図３】
0003653420.tif 000004
【図４】
0003653420.tif 000005
【図５】
0003653420.tif 000006
【図６】
0003653420.tif 000007
【図７】
0003653420.tif 000008